(57)【特許請求の範囲】
【請求項１】
左右方向に間隔を置いて配列された複数の建物パネル取付縦部と、
前記各建物パネル取付縦部に、上下方向に間隔を置いてそれぞれ固着した複数の取付用ブラケットと、
上の横フレーム部材と下の横フレーム部材と左右の縦フレーム部材により方形枠形状で、前記取付用ブラケットにそれぞれ固着され、前記左右に隣接した建物パネル取付縦部間に設けた複数のフレーム枠と、
前記各フレーム枠にそれぞれ装着した複数のパネルを備え、
前記取付用ブラケットは、左右一方に向かう第１横片と左右他方に向かう第２横片を有し、
前記フレーム枠を形成する上下の横フレーム部材と左右の縦フレーム部材は、屋外側のパネル支持部と屋内側の取付部を有する形状で
各パネル支持部に前記パネルが支持され、そのパネルの自重が、フレーム枠を形成する下の横フレーム部材で支持され、
前記上下に隣接した上のフレーム枠の下の横フレーム部材の取付部における長手方向両端寄り部と、下のフレーム枠の上の横フレーム部材の取付部における長手方向両端寄り部を、前記左右に隣接した一方の取付用ブラケットの第１横片と、他方の取付用ブラケットの第２横片に、同一固着部材でそれぞれ固着することで、前記１つの建物パネル取付縦部に固着した１つの取付用ブラケットに上下・左右に隣接した４つのフレーム枠の横フレーム部材をそれぞれ固着したことを特徴とするパネル壁面体。
【請求項２】
取付用ブラケットの第１横片、第２横片は、上下に隣接した上のフレーム枠の下の横フレーム部材の取付部と下のフレーム枠の上の横フレーム部材の取付部の上下間隔よりも薄く、かつその上面、下面に重ね合わせて設けられた複数のプレートを備え、
前記上の横フレーム部材の取付部から第１・第２横片、プレートに雌ねじ部材が挿入され、前記下の横フレーム部材の取付部から雄ねじ部材を雌ねじ部材にねじ込まれ、前記第１・第２横片とプレートが上の横フレーム部材の取付部と下の横フレーム部材の取付部で挟持されて取付用ブラケットと上下の横フレーム部材が固着されている請求項１記載のパネル壁面体。
【請求項３】
前記建物パネル取付縦部は、建物を形成する下の床スラブと上の床スラブ間に亘って固着した取付用縦材で、
この取付用縦材の左右寸法は、左右に隣接した一方のフレーム枠の縦フレーム部材と他方のフレーム枠の縦フレーム部材間の左右寸法よりも大きい請求項１記載のパネル壁面体。
【発明の詳細な説明】
【０００１】
【発明の属する技術分野】
本発明は、建物外壁を形成するパネル壁面体、詳しくはフレーム枠にガラス、樹脂プレート、アルミニウムプレート等のパネルを装着し、そのフレーム枠を建物に固着して複数のパネルを上下方向、左右方向に連続して建物に取付けたパネル壁面体に関する。
【０００２】
【従来の技術】
複数のガラスを上下方向、左右方向に連続して建物に取付け、その複数のガラスで建物外壁を形成するパネル壁面体が知られている。
例えば、上下の横フレーム部材と左右の縦フレーム部材を方形枠状に連結してフレーム枠を形成する。このフレーム枠にガラスを装着する。
前記縦フレーム部材を建物に固着し、複数のガラスを建物に上下・左右に連続して取付けた第１のパネル壁面体が知られている。
【０００３】
特開平１１−６３６８号公報に示された第２のパネル壁面体が知られている。
この第２のパネル壁面体は、ガラスの上辺の左右隅並びに下辺の左右隅にホールド部材を嵌め込み、このホールド部材を支持部材に固着して、複数のガラスを建物に上下・左右に連結して取付けた構造である。
【０００４】
【発明が解決しようとする課題】
前述した第１のパネル壁面体であれば、各ガラスの周囲がフレーム部材で囲まれているので、風圧力によるガラスの面外方向のたわみをフレーム部材が抑制するから、薄いガラスや剛性小のガラス等のたわみ易いガラスを用いることが可能である。
【０００５】
しかしながら、フレーム枠を形成する縦フレーム部材が建物に固着されているので、上下の横フレーム部材は左右の縦フレーム部材との連結部を支点としてたわむ。
つまり、上下の横フレーム部材の荷重支持点が長手方向両端部である。
【０００６】
このために、風圧力の大きい強風時にガラスのたわみを防止するには上下の横フレーム部材を、ガラスたわみ方向（面外方向）の剛性を大きくするために断面が著しく大きい部材とする必要がある。
また、ガラス自重を下の横フレーム部材で支持する場合には、下の横のフレーム部材がガラス自重で下向きに湾曲変形するので、下の横フレーム部材を、上下方向の剛性を大きくするために断面が著しく大きい部材とする必要がある。
【０００７】
前述のように、断面が著しい大きい横フレーム部材は高価であるので、第１のパネル壁面体はコストが高い。
特に、横フレーム部材をアルミニウム押出形材とした場合には、断面が大きいと押出し用金型が高価となると共に、押出成形し難くなるので、その横フレーム部材は高価である。
【０００８】
また、断面が著しく大きい横フレーム部材を用いると、屋内又は屋外から見た時に横フレーム部材が著しく目立つので、見栄えが悪い。
【０００９】
前述した第２のパネル壁面体は、ガラスの上辺左右隅部と下辺左右隅部にホールド部材が嵌め込んであるので、屋内又は屋外から見た時にホールド部材が目立つことがないが、ガラスの上辺左右隅部とガラスの下辺左右隅部にホールド部材が見え、ガラスの上下左右中間部、下辺中間部はガラスが直接見えるから、左右方向中間部と両端部の見栄えが異なり、見栄えが悪い。
【００１０】
また、ガラスの上辺左右隅部と下辺左右隅部をホールド部材でそれぞれ支持し、ガラスの上辺左右中間部、下辺左右中間部は何ら支持されていないので、風圧力によるガラスのたわみはガラス自体で抑制することになる。
このために、厚いガラスや剛性大のガラス等のたわみ難いガラスを用いる必要があり、前述のように薄いガラスや剛性小のガラス等のたわみ易いガラスを用いることができない。
【００１１】
本発明は、前述の課題を解決できるようにしたパネル壁面体を提供することを目的とする。
【００１２】
【課題を解決するための手段】
第１の発明は、左右方向に間隔を置いて配列された複数の建物パネル取付縦部と、
前記各建物パネル取付縦部に、上下方向に間隔を置いてそれぞれ固着した複数の取付用ブラケットと、
上の横フレーム部材と下の横フレーム部材と左右の縦フレーム部材により方形枠形状で、前記取付用ブラケットにそれぞれ固着され、前記左右に隣接した建物パネル取付縦部間に設けた複数のフレーム枠と、
前記各フレーム枠にそれぞれ装着した複数のパネルを備え、
前記取付用ブラケットは、左右一方に向かう第１横片と左右他方に向かう第２横片を有し、
前記フレーム枠を形成する上下の横フレーム部材と左右の縦フレーム部材は、屋外側のパネル支持部と屋内側の取付部を有する形状で
各パネル支持部に前記パネルが支持され、そのパネルの自重が、フレーム枠を形成する下の横フレーム部材で支持され、
前記上下に隣接した上のフレーム枠の下の横フレーム部材の取付部における長手方向両端寄り部と、下のフレーム枠の上の横フレーム部材の取付部における長手方向両端寄り部を、前記左右に隣接した一方の取付用ブラケットの第１横片と、他方の取付用ブラケットの第２横片に、同一固着部材でそれぞれ固着することで、前記１つの建物パネル取付縦部に固着した１つの取付用ブラケットに上下・左右に隣接した４つのフレーム枠の横フレーム部材をそれぞれ固着したことを特徴とするパネル壁面体である。
【００１７】
第２の発明は、第１の発明における取付用ブラケットの第１横片、第２横片は、上下に隣接した上のフレーム枠の下の横フレーム部材の取付部と下のフレーム枠の上の横フレーム部材の取付部の上下間隔よりも薄く、かつその上面、下面に重ね合わせて設けられた複数のプレートを備え、
前記上の横フレーム部材の取付部から第１・第２横片、プレートに雌ねじ部材が挿入され、前記下の横フレーム部材の取付部から雄ねじ部材を雌ねじ部材にねじ込まれ、前記第１・第２横片とプレートが上の横フレーム部材の取付部と下の横フレーム部材の取付部で挟持されて取付用ブラケットと上下の横フレーム部材が固着されているパネル壁面体である。
【００１８】
第３の発明は、第１の発明において、前記建物パネル取付縦部は、建物を形成する下の床スラブと上の床スラブ間に亘って固着した取付用縦材で、
この取付用縦材の左右寸法は、左右に隣接した一方のフレーム枠の縦フレーム部材と他方のフレーム枠の縦フレーム部材間の左右寸法よりも大きいパネル壁面体である。
【００２０】
【作    用】
第１の発明によれば、フレーム枠にパネルを装着したことで、そのパネルの周囲がフレーム部材で囲まれる。
これによって、パネルがフレーム枠で補強されるので、たわみ易いガラスを用いることができる。
屋内又は屋外から見た時にパネルの周囲にフレーム部材が連続して見えるので、見栄えが良い。
【００２１】
また、左右に隣接した取付用ブラケットの第１横片、第２横片と上下の横フレーム部材を、その上下の横フレーム部材の取付部における長手方向両端寄り部で固着したことにより、その上下の横フレーム部材の荷重支持点が長手方向両端面よりも長手方向中央部寄りで、その荷重支持点間の距離が上下の横フレーム部材の全長よりも短い。
これによって、パネルに作用する風圧力による上下の横フレーム部材の面外方向の湾曲変形が小さいので、その上下の横フレーム部材の面外方向の剛性が小さくとも良い。
したがって、断面の小さな上下の横フレーム部材を用いることができる。
【００２２】
断面の小さな上下の横フレーム部材はコストが安いので、パネル壁面体が安価である。
屋外又は屋内から見た時に上下の横フレーム部材が目立つことがなく、見栄えがより一層良い。
【００２３】
また、パネルの自重を下の横フレーム部材で支持するので、その下の横フレーム部材はパネル自重で下向きに湾曲変形しようとする。
しかしながら、前述のように下の横フレーム部材の荷重支持点間の距離が、その全長よりも短いのでパネル自重による下の横フレーム部材の下向き湾曲変形が小さい。
したがって、下の横フレーム部材の上下方向の剛性が小さくとも良いので、パネル自重を下の横フレーム部材で支持するパネル壁面体において、断面がより小さい下の横フレーム部材を用いることができる。
【００２４】
また、１つの取付用ブラケットの第１・第２横片に、上下に隣接したフレーム枠の上下の横フレーム部材を、１つの固着部材でそれぞれ固着することで、上下のフレーム枠を建物パネル取付縦部に取付けできる。
したがって、フレーム枠の取付作業が容易である。
【００２５】
また、１つの取付用ブラケットで上下・左右に隣接したフレーム枠の上下の横フレーム部材を建物パネル取付縦部に取付けできる。
したがって、パネルの数に対して取付用ブラケットの数が少なく、その取付用ブラケットを建物パネル取付縦部に取付ける作業が容易である。
【００２６】
第２の発明によれば、雄ねじ部材の雌ねじ部材への締付力で上下に隣接した一方のフレーム枠の上の横フレーム部材の取付部上面と第１・第２横片の下面がプレートを介して接し、上下に隣接した他方のフレーム枠の下の横フレーム部材の取付部下面と第１・第２横片の上面がプレートを介して接することで取付用ブラケットと上下の横フレーム部材が固着される。
【００２７】
このようであるから、取付用ブラケットの横片を建物パネル取付縦部にあらかじめ固着し、その後に横片にプレートを重ね合わせて設けながらフレーム枠を順次取付けできる。
また、プレートの厚さ又は枚数を変えることで、上の横フレーム部材と下の横フレーム部材の間隔が異なる場合でも取付用ブラケットと上下の横フレーム部材を固着できる。
【００２８】
第３の発明によれば、屋内から見た時に左右に隣接した縦フレーム部材が取付用縦材で見えないので、見栄えが良い。
【００２９】
【発明の実施の形態】
図１と図２に示すように、建物を形成する下の床スラブ１に下のブラケット２が左右方向に間隔を置いて固着してある。前記建物を形成する上の床スラブ３に上のブラケット４が左右方向に間隔を置いて固着してある。
前記各下のブラケット２と各上のブラケット４に取付用縦部材５の下部と上部がそれぞれ固着してある。この取付用縦部材５が建物パネル取付縦部を形成し、その複数の建物パネル取付縦部は左右方向に間隔を置いて配列してある。
【００３０】
図１に示すように、パネル、例えばガラス６はフレーム枠１０に装着してある。
前記ガラス６は上下寸法が左右寸法よりも大きい横長形状で、種々のガラスを用いることができる。
例えば、反射ガラス、透明ガラス、半透明ガラス、単板ガラス、二重ガラスなどを用いることができる。
前記パネルとしては、ガラスに限らずに樹脂プレート、アルミニウムプレート等が用いられる。
【００３１】
前記フレーム枠１０は図２と図３に示すように上の横フレーム部材１１と下の横フレーム部材１２と左右の縦フレーム部材１３で横長の方形枠形状である。
【００３２】
図２と図３に示すように、前記各取付用縦材５には複数の取付用ブラケット２０が上下方向に間隔を置いて屋外側に向けて固着してある。この各取付用ブラケット２０は上下に隣接した下のフレーム枠１０の上の横フレーム部材１１と上のフレーム枠１０の下の横フレーム部材１２に固着してある。
これによって、複数のガラス６が図１に示すように上下方向、左右方向に連続して建物に取付けてある。その複数のガラス６でパネル壁面体を形成する。
【００３３】
図１と図２と図３に示すように、各フレーム枠１０の上の横フレーム部材１１に装飾用部材３０が取付材３１でそれぞれ取付けてある。
この装飾用部材３０は上下に隣接した下のフレーム枠１０の上の横フレーム部材１１と上のフレーム枠１０の下の横フレーム部材１２よりも屋内側に位置している。
【００３４】
前記フレーム枠１０を形成する上の横フレーム部材１１は図４と図６に示すように、下方に向う縦片１１ａと屋外側に向う横片１１ｂで断面形状が屋外側に向う鉤形のパネル支持部１１ｃと、このパネル支持部１１ｃの縦片１１ａに屋内側に向けて一体的に設けられ下面が平坦面で、上面に開口したＴ字溝を有する形状の取付部１１ｄを備えた断面形状の長尺材である。
【００３５】
前記縦片１１ａの屋外側面にガラス６の上辺屋内側面が接着シール材１４で接着してある。
前記横片１１ｂの下面とガラス６の上端面との間をシリコンシール材１５でシールしてある。
このようであるから、屋外から見た時に上の横フレーム部材１１は、その横片１１ｂの端面のみが見える。
【００３６】
前記フレーム枠１０を形成する下の横フレーム部材１２は図４と図６に示すように、上方に向う縦片１２ａと屋外側に向う横片１２ｂで断面形状が屋外側に向う鉤形のパネル支持部１２ｃと、このパネル支持部１２ｃの縦片１２ａに屋内側に向けて一体的に設けられ上面が平坦面で、下面に開口したＴ字溝を有する形状の取付部１２ｄを備えた断面形状の長尺材である。
【００３７】
前記縦片１２ａの屋外側面にガラス６の下辺屋内側面が接着シール材１４で接着してある。
前記横片１２ｂの上面とガラス６の下端面との間をシリコンシール材１５でシールしてある。なお、ガラス６の下端面はセッティングブロック１６で横片１２ｂの上面に接している。
このようであるから、屋外から見た時に下の横フレーム部材１２は、その横片１２ｂの端面のみが見える。
【００３８】
前記フレーム枠１０を形成する縦フレーム部材１３は図５と図６に示すように、左右方向に向う第１縦片１３ａと屋外側に向う第２縦片１３ｂで断面形状が屋外側に向う鉤形のパネル支持部１３ｃと、このパネル支持部１３ｃの第１縦片１３ａに屋内側に向けて一体的に設けられ左右方向の内面が平坦面で、外面に開口したＴ字溝を有する形状の取付部１３ｄを備えた断面形状の長尺材である。
【００３９】
前記第１縦片１３ａの屋外側面にガラス６の縦辺屋内側面が接着シール材１４で接着してある。
前記第２縦片１３ｂの左右面とガラス６の縦端面との間をシリコンシール材１５でシールしてある。
このようであるから、屋外から見た時に縦フレーム部材１３は、その第２縦片１３ｂの端面のみが見える。
すなわち、上の横フレーム部材１１、下の横フレーム部材１２、縦フレーム部材１３は同一断面形状で、アルミニウム押出形材である。
なお、上下の横フレーム部材１１，１２と縦フレーム部材１３は図５に示すようにＬ字形状のコーナーブロック１７で連結してある。
【００４０】
前記取付用縦部材５は図５と図６に示すように、スチール製の円形パイプ形状で、その直径（左右方向の寸法Ｓ１）は図５に示すように、左右に隣接する２つのフレーム枠１０の隣接した２つの縦フレーム部材１３，１３間の左右方向の寸法Ｓ２よりも大きい。
これによって、屋内から真直ぐに見た時に取付用縦部材５で隣接した２つの縦フレーム部材１３，１３が見えない。
【００４１】
前記取付用ブラケット２０は図５と図６に示すように、左右一方に向う第１横片２１と左右他方に向う第２横片２２を一体的に連結したスチール製の横片２３と、前記第１横片２１の先端部寄り上下面と第２横片２２の先端寄り上下面にそれぞれ設けられるスチール製の複数のプレート２４を備えている。
【００４２】
前記横片２３の長手方向中央部の屋内側部分が取付用縦部材５の屋外側面に溶接等で固着され、この横片２３の下面と取付用縦部材５の屋外側面に亘って補強縦片２５が溶接等で固着してある。
これによって、取付用ブラケット２０は取付用縦部材５に強固に固着される。
【００４３】
前記横片２３の厚さは図４と図６に示すように、上下に隣接した一方のフレーム枠１０の上の横フレーム部材１１の取付部１１ｄと他方のフレーム枠１０の下の横フレーム部材１２の取付部１２ｄの上下間隔Ｈよりも小さい。
図６に示すように前記第１横片２１の先端部分と第２横片２２の先端部分と各プレート２４に透孔２６がそれぞれ形成してある。
この各透孔２６に雌ねじ部材２７が挿通し、この雌ねじ部材２７に雄ねじ部材２８がねじ込みされる。
【００４４】
図４と図５に示すように、第１横片２１と第２横片２２が上下に隣接した一方のフレーム枠１０の上の横フレーム部材１１の取付部１１ｄと他方のフレーム１０の下の横フレーム部材１２の取付部１２ｄとの間に挿入してある。
プレート２４が第１・第２横片２１，２２の下面、上面と上の横フレーム部材１１の取付部１１ｄ、下の横フレーム部材１２の取付部１２ｄの間に挿入してある。
雌ねじ部材２７を上の横フレーム部材１１の取付部１１ｄの孔１８から透孔２６に挿入し、雄ねじ部材２８を下の横フレーム部材１２の取付部１２ｄの孔１９から雌ねじ部材２７にねじ込んで第１・第２横片２１，２２と上下の横フレーム部材１１，１２に固着してある。
この雌ねじ部材２７と雄ねじ部材２８で固着部材としてある。
【００４５】
前述のようにすることで、１つのフレーム枠１０の上の横フレーム部材１１の長手方向両端寄り部と下の横フレーム部材１２の長手方向両端寄り部が取付用ブラケット２０を介して取付用縦部材５に固着される。
前記固着部Ａ（雄ねじ部材２８）の位置は、図３に示すように上下の横フレーム部材１１，１２の長手方向両端面よりも長手方向中央部寄りで、左右の固着部Ａ間の距離Ｌ１、つまり左右の荷重支持点間の距離距離Ｌ１は上下の横フレーム部材１１，１２の全長Ｌ２よりも短い。
【００４６】
このようであるから、ガラス６に作用する風圧力による上下の横フレーム部材１１，１２の面外方向の湾曲変形が小さい。つまり、縦フレーム部材１３を取付用ブラケット２０に固着し、左右の荷重支持点間の距離が上下の横フレーム部材１１，１２の全長の場合よりも小さい。
したがって、上下の横フレーム部材１１，１２の面外方向の剛性が小さくとも良いので、断面の小さな上下の横フレーム部材１１，１２を用いることができる。
【００４７】
また、ガラス６の自重が下の横フレーム部材１２で支持され、そのガラス６の自重で下の横フレーム部材１２が下向きに湾曲変形する。前述のように荷重支持点間の距離が全長よりも短いことにより、その下の横フレーム部材１２のガラス６の自重による下向き湾曲変形が小さい。
したがって、ガラス６の自重を下の横フレーム部材１２で支持するパネル壁面体において、その下の横フレーム部材１２の上下方向の剛性を小さくできるから、より一層断面の小さな下の横フレーム部材１２を用いることができる。
【００４８】
前記上下の横フレーム部材１１，１２の長手方向両端面から荷重支持点（固着部Ａ）までの距離Ｌ３は、図３に示すように上下の横フレーム部材１１，１２の全長Ｌ２に対して１／８〜１／３の範囲、好ましくは１／４である。
また、前述のガラス６を下の横フレーム部材１２に支持するセッティングブロック１６は、図５に示すように固着部Ａと同一位置としてある。
【００４９】
前記装飾用部材３０は図４と図６に示すように、水平な上横片３２と斜めの下横片３３と垂直な縦片３４で断面略三角形状の中空長尺材で、その縦片３４に取付材３１がビス３５で固着してある。
取付材３１は上の横フレーム部材１１にビス３６で固着してある。
【００５０】
前記取付用ブラケット２０の第１横片２１と第２横片２２を一体として左右に隣接する２つのフレーム枠１０の上下の横フレーム部材１１，１２を１つの取付用ブラケット２０でそれぞれ固着するようにしたが、第１横片２１と第２横片２２を別体として取付用縦部材５にそれぞれ固着し、左右一方の上下の横フレーム部材１１，１２を取付用縦部材５に固着する取付用ブラケット２０と左右他方の上下の横フレーム部材１１，１２を取付用縦部材５に固着する取付用ブラケット２０に区分しても良い。
【００５１】
前記上の横フレーム部材１１と下の横フレーム部材１２のパネル支持部材１１ｃ，１２ｃ又は縦フレーム部材１３のパネル支持部１３ｃを、左右方向に向う断面コ字形状として、ガラス６の上辺と下辺又は縦辺をパネル支持部１１ｃ，１２ｃ又は１３ｃに嵌め込んで支持するようにしても良い。
【００５２】
【発明の効果】
請求項１に係る発明によれば、フレーム枠にパネルを装着したことで、そのパネルの周囲がフレーム部材で囲まれる。
これによって、パネルがフレーム枠で補強されるので、たわみ易いガラスを用いることができる。
屋内又は屋外から見た時にパネルの周囲にフレーム部材が連続して見えるので、見栄えが良い。
【００５３】
また、左右に隣接した取付用ブラケットの第１横片、第２横片と上下の横フレーム部材を、その上下の横フレーム部材の取付部における長手方向両端寄り部で固着したことにより、その上下の横フレーム部材の荷重支持点が長手方向両端面よりも長手方向中央部寄りで、その荷重支持点間の距離が上下の横フレーム部材の全長よりも短い。
これによって、パネルに作用する風圧力による上下の横フレーム部材の面外方向の湾曲変形が小さいので、その上下の横フレーム部材の面外方向の剛性が小さくとも良い。
したがって、断面の小さな上下の横フレーム部材を用いることができる。
【００５４】
断面の小さな上下の横フレーム部材はコストが安いので、パネル壁面体が安価である。
屋外又は屋内から見た時に上下の横フレーム部材が目立つことがなく、見栄えがより一層良い。
【００５５】
また、パネルの自重を下の横フレーム部材で支持するので、その下の横フレーム部材はパネル自重で下向きに湾曲変形しようとする。
しかしながら、前述のように下の横フレーム部材の荷重支持点間の距離が、その全長よりも短いのでパネル自重による下の横フレーム部材の下向き湾曲変形が小さい。
したがって、下の横フレーム部材の上下方向の剛性が小さくとも良いので、パネル自重を下の横フレーム部材で支持するパネル壁面体において、断面がより小さい下の横フレーム部材を用いることができる。
【００５６】
また、１つの取付用ブラケットの第１・第２横片に、上下に隣接したフレーム枠の上下の横フレーム部材を、１つの固着部材でそれぞれ固着することで、上下のフレーム枠を建物パネル取付縦部に取付けできる。
したがって、フレーム枠の取付作業が容易である。
【００５７】
また、１つの取付用ブラケットで上下・左右に隣接したフレーム枠の上下の横フレーム部材を建物パネル取付縦部に取付けできる。
したがって、パネルの数に対して取付用ブラケットの数が少なく、その取付用ブラケットを建物パネル取付縦部に取付ける作業が容易である。
【００５８】
請求項２に係る発明によれば、雄ねじ部材の雌ねじ部材への締付力で上下に隣接した一方のフレーム枠の上の横フレーム部材の取付部上面と第１・第２横片の下面がプレートを介して接し、上下に隣接した他方のフレーム枠の下の横フレーム部材の取付部下面と第１・第２横片の上面がプレートを介して接することで取付用ブラケットと上下の横フレーム部材が固着される。
【００５９】
このようであるから、取付用ブラケットの横片を建物パネル取付縦部にあらかじめ固着し、その後に横片にプレートを重ね合わせて設けながらフレーム枠を順次取付けできる。
また、プレートの厚さ又は枚数を変えることで、上の横フレーム部材と下の横フレーム部材の間隔が異なる場合でも取付用ブラケットと上下の横フレーム部材を固着できる。
【００６０】
請求項３に係る発明によれば、屋内から見た時に左右に隣接した縦フレーム部材が取付用縦材で見えないので、見栄えが良い。
【図面の簡単な説明】
【図１】パネル壁面体の一部外観図である。
【図２】図１のＸ−Ｘ線に沿う縦断面図である。
【図３】図１のＹ−Ｙ線に沿う横断面図である。
【図４】上下のガラス取付部材の拡大縦断面図である。
【図５】左右のガラス取付部分の拡大横断面図である。
【図６】ガラスと取付用ブラケットと取付用縦部材の分解斜視図である。
【符号の説明】
１…下の床スラブ
３…上の床スラブ
５…取付用縦部材（建物パネル取付縦部）
６…ガラス（パネル）
１０…フレーム枠
１１…上の横フレーム部材
１１ｃ…パネル支持部
１１ｄ…取付部
１２…下の横フレーム部材
１２ｃ…パネル支持部
１２ｄ…取付部
１３…縦フレーム部材
１３ｃ…パネル支持部
１３ｄ…取付部
１６…セッティングブロック
２０…取付用ブラケット
２３…横片
２４…プレート
２７…雌ねじ部材（一方の固着部材）
２８…雄ねじ部材（他方の固着部材）
【図１】
0003814752.tif 000002
【図２】
0003814752.tif 000003
【図３】
0003814752.tif 000004
【図４】
0003814752.tif 000005
【図５】
0003814752.tif 000006
【図６】
0003814752.tif 000007